(57)【要約】【課題】鑑賞者の直感的な動作により表示部に表示されている画像の表示範囲及び表示サイズを変更する。【解決手段】画像を表示する表示部４２と、鑑賞者の顔の撮像を行う第１撮像部１２と、前記第１撮像部から出力された画像データに基づいて前記鑑賞者の顔の位置及び前記鑑賞者の顔のサイズまたは両目の幅を検出する検出部１０と、前記検出部により検出された前記鑑賞者の顔のサイズまたは両目の幅に基づいて前記鑑賞者までの距離を算出する算出部１０と、前記検出部により検出された前記鑑賞者の顔の位置及び前記算出部により算出された前記鑑賞者までの距離に基づいて前記表示部に表示する前記画像の表示範囲及び表示サイズを変更する表示制御部１０とを備える。【選択図】図１
2012147059.tif 000002
【特許請求の範囲】
【請求項１】
画像を表示する表示部と、
鑑賞者の顔の撮像を行う第１撮像部と、
前記第１撮像部から出力された画像データに基づいて前記鑑賞者の顔の位置及び前記鑑賞者の顔のサイズまたは両目の幅を検出する検出部と、
前記検出部により検出された前記鑑賞者の顔のサイズまたは両目の幅に基づいて前記鑑賞者までの距離を算出する算出部と、
前記検出部により検出された前記鑑賞者の顔の位置及び前記算出部により算出された前記鑑賞者までの距離に基づいて前記表示部に表示する前記画像の表示範囲及び表示サイズを変更する表示制御部と
を備えることを特徴とする画像情報処理装置。
【請求項２】
前記表示制御部は、前記表示部に表示する前記画像を前記鑑賞者から見て前記表示部より遠方に位置する仮想平面上に投影されているように加工して表示することを特徴とする請求項１記載の画像情報処理装置。
【請求項３】
前記表示制御部は、前記表示部に表示する前記画像のメタデータに含まれる情報に基づいて前記表示部から前記仮想平面までの距離を決定することを特徴とする請求項２記載の画像情報処理装置。
【請求項４】
該画像情報処理装置の姿勢を検出する姿勢検出部を備え、
前記表示制御部は、前記姿勢検出部による検出結果に基づいて前記表示部に表示する前記画像の角度を水平に保つように回転させて表示することを特徴とする請求項１〜３の何れか一項に記載の画像情報処理装置。
【請求項５】
被写体の撮像を行う第２撮像部を備え、
前記表示制御部は、第２撮像部から出力された画像データに基づく画像をリアルタイムで前記表示部に表示することを特徴とする請求項１〜４の何れか一項に記載の画像情報処理装置。
【請求項６】
画像情報処理装置と撮像装置を備える画像情報処理システムであって、
前記画像情報処理装置は、
画像を表示する表示部と、
鑑賞者の顔の撮像を行う第１撮像部と、
前記第１撮像部から出力された画像データに基づいて前記鑑賞者の顔の位置及び前記鑑賞者の顔のサイズまたは両目の幅を検出する検出部と、
前記検出部により検出された前記鑑賞者の顔のサイズまたは両目の幅に基づいて前記鑑賞者までの距離を算出する算出部と、
画像データを受信する第１通信部と、
前記検出部により検出された前記鑑賞者の顔の位置及び前記算出部により算出された前記鑑賞者までの距離に基づいて変更された前記画像の表示範囲及び表示サイズにより、前記第１通信部により受信した前記画像データに基づく画像をリアルタイムで前記表示部に表示する表示制御部と
を備え、
前記撮像装置は、
被写体の撮像を行う第２撮像部と、
前記第２撮像部から出力された画像データをリアルタイムで前記画像情報処理装置に送信する第２通信部と
を備えることを特徴とする画像情報処理システム。
【請求項７】
前記表示制御部は、前記表示部に表示する前記画像を前記鑑賞者から見て前記表示部より遠方に位置する仮想平面上に投影されているように加工して表示することを特徴とする請求項６記載の画像情報処理システム。
【請求項８】
前記表示制御部は、前記表示部に表示する前記画像のメタデータに含まれる情報に基づいて前記表示部から前記仮想平面までの距離を決定することを特徴とする請求項７記載の画像情報処理システム。
【請求項９】
前記画像情報処理装置は、前記第１通信部を介して前記算出部による算出結果を前記撮像装置に送信し、
前記撮像装置は、前記第２通信部を介して前記算出結果を受信し、受信した前記算出結果に基づいて前記第２撮像部の撮影画角を変更する請求項６〜８の何れか一項に記載の画像情報処理システム。
【発明の詳細な説明】
【技術分野】
【０００１】
本発明は、画像情報処理装置及び画像情報処理システムに関するものである。
【背景技術】
【０００２】
従来、表示部に画像を表示し鑑賞することが可能な表示装置が存在する（例えば、特許文献１参照）。この表示装置によれば、表示部に表示される画像の表示範囲及び表示サイズの変更は鑑賞者による操作部の操作により行われる。
【先行技術文献】
【特許文献】
【０００３】
【特許文献１】特開２０１０−２３７７５３号公報
【発明の概要】
【発明が解決しようとする課題】
【０００４】
しかしながら、操作部の操作は鑑賞者の肉眼の感覚とはなんら関連付けられていないため、表示部に表示される画像の表示範囲及び表示サイズを直感的に変更することはできなかった。
【０００５】
本発明の目的は、鑑賞者の直感的な動作により表示部に表示されている画像の表示範囲及び表示サイズを変更することがきる画像情報処理装置及び画像情報処理システムを提供することである。
【課題を解決するための手段】
【０００６】
本発明の画像情報処理装置は、画像を表示する表示部と、鑑賞者の顔の撮像を行う第１撮像部と、前記第１撮像部から出力された画像データに基づいて前記鑑賞者の顔の位置及び前記鑑賞者の顔のサイズまたは両目の幅を検出する検出部と、前記検出部により検出された前記鑑賞者の顔のサイズまたは両目の幅に基づいて前記鑑賞者までの距離を算出する算出部と、前記検出部により検出された前記鑑賞者の顔の位置及び前記算出部により算出された前記鑑賞者までの距離に基づいて前記表示部に表示する前記画像の表示範囲及び表示サイズを変更する表示制御部とを備えることを特徴とする。
【０００７】
また、本発明の画像情報処理システムは、画像情報処理装置と撮像装置を備える画像情報処理システムであって、前記画像情報処理装置は、画像を表示する表示部と、鑑賞者の顔の撮像を行う第１撮像部と、前記第１撮像部から出力された画像データに基づいて前記鑑賞者の顔の位置及び前記鑑賞者の顔のサイズまたは両目の幅を検出する検出部と、前記検出部により検出された前記鑑賞者の顔のサイズまたは両目の幅に基づいて前記鑑賞者までの距離を算出する算出部と、画像データを受信する第１通信部と、前記検出部により検出された前記鑑賞者の顔の位置及び前記算出部により算出された前記鑑賞者までの距離に基づいて変更された前記画像の表示範囲及び表示サイズにより、前記第１通信部により受信した前記画像データに基づく画像をリアルタイムで前記表示部に表示する表示制御部と
を備え、前記撮像装置は、被写体の撮像を行う第２撮像部と、前記第２撮像部から出力された画像データをリアルタイムで前記画像情報処理装置に送信する第２通信部とを備えることを特徴とする。
【発明の効果】
【０００８】
本発明によれば、鑑賞者の直感的な動作により表示部に表示されている画像の表示範囲及び表示サイズを変更することがきる。
【図面の簡単な説明】
【０００９】
【図１】第１の実施の形態に係る画像情報処理装置の構成を示すブロック図である。
【図２】第１の実施の形態に係る画像情報処理装置の画像表示処理を示すフローチャートである。
【図３】第１の実施の形態に係る鑑賞者が移動した場合のディスプレイに表示される画像の表示範囲を説明する図である。
【図４】第１の実施の形態に係る鑑賞者が移動した場合のディスプレイに表示される画像の表示範囲を説明する図である。
【図５】第１の実施の形態に係る鑑賞者が移動した場合のディスプレイに表示される画像の表示範囲を説明する図である。
【図６】第１の実施の形態に係る画像情報処理装置が傾けられた場合のディスプレイに表示される画像の角度を説明する図である。
【図７】第１の実施の形態に係る鑑賞者が移動した場合のディスプレイに表示される画像の表示範囲を説明する図である。
【図８】第２の実施の形態に係る画像情報処理システムの構成を示すブロック図である。
【図９】第２の実施の形態に係る鑑賞者が移動した場合のディスプレイに表示される画像の表示範囲を説明する図である。
【発明を実施するための形態】
【００１０】
以下、図面を参照して、本発明の第１の実施の形態に係る画像情報処理装置であるデジタルフォトフレーム（以下、ＤＰＦという。）について説明する。図１は第１の実施の形態に係るＤＰＦのシステム構成を示すブロック図である。図１に示すようにＤＰＦ２は、マイクロプロセッサ等により構成されＤＰＦ２の各部を統括的に制御するＣＰＵ１０を備えている。ＣＰＵ１０には、第１撮像部１２、第２撮像部１４、ＵＳＢコントローラ１６、カードコントローラ１８、電源コントローラ２０、Ｉ／Ｆドライバ２２、メモリ２４及びＬＣＤドライバ２６が接続されている。
【００１１】
第１撮像部１２及び第２撮像部１４は、ＣＣＤ、ＣＭＯＳ等により構成される撮像素子を有し、撮影レンズ（図示せず）を介した被写体からの光を撮像しＣＰＵ１０に対して撮像信号を出力する。ここで、第１撮像部１２は後述するディスプレイ４２側の面に配置され、第２撮像部１４は第１撮像部１２が設けられる面の裏面に設けられている。第１撮像部１２はディスプレイ４２を鑑賞している鑑賞者の顔の撮像を行ない、第２撮像部１４は被写体（外界）の撮像を行なう。ＵＳＢコントローラ１６は、ＵＳＢコネクタ３０を介して接続されるＰＣ（パーソナルコンピュータ）３２等との間のデータ通信の制御を行なう。カードコントローラ１８は、カードスロット３４に装着されたＳＤカード、ＣＦカード３６等に対するデータの書き込み及び読み出しの制御を行なう。電源コントローラ２０は、バッテリ３８及びＡＣ電源４０からＣＰＵ１０に対する電力の供給の制御を行なう。
【００１２】
Ｉ／Ｆドライバ２２は、電源スイッチ、十字ボタン及びＯＫボタン等を備える操作スイッチ４４の操作状態を検出してＣＰＵ１０に対して出力する。メモリ２４は、第１撮像部１２及び第２撮像部１４から出力された撮像信号に基づく画像データ等を記憶する。ＬＣＤドライバ２６は、ディスプレイ４２の表示制御を行なう。
【００１３】
次に、図２に示すフローチャートを参照して、本発明の第１の実施の形態に係るＤＰＦ２の画像表示処理について説明する。ＤＰＦ２を鑑賞する鑑賞者が電源スイッチを操作することによりＤＰＦ２の電源をオンにすると、ＣＰＵ１０は、第１撮像部１２によりディスプレイ４２を鑑賞している鑑賞者の顔を所定のフレームレートで撮像する（ステップＳ１０）。そして、第１撮像部１２から出力されたスルー画の画像データ基づいて画像データに含まれる鑑賞者の顔を認識し、鑑賞者の顔の位置を検出する（ステップＳ１２）。さらに、認識された鑑賞者の顔の目の位置を解析することにより鑑賞者の両目の幅を検出し（ステップＳ１４）、検出された鑑賞者の両目の幅に基づいて鑑賞者とＤＰＦ２との距離を算出する（ステップＳ１６）。
【００１４】
鑑賞者が十字ボタン及びＯＫボタン等を操作することにより、メモリ２４に記憶されている画像データの中からディスプレイ４２に表示する画像の画像データを選択すると、図３に示すように、ＣＰＵ１０は選択された画像データに付加されているメタデータ（焦点距離、合焦距離等の情報）に基づいて、ディスプレイ４２から仮想平面Ｗまでの距離を決定する（ステップＳ１８）。ここで仮想平面Ｗは鑑賞者から見てディスプレイ４２より遠方に位置するものであり、仮想平面Ｗに投影されているように見える画像をディスプレイ４２に表示することによって、鑑賞者はあたかもＤＰＦ２の向こうに側に風景が広がっているような画像や窓越しの風景のような画像を鑑賞することができる。
【００１５】
ＣＰＵ１０は、認識された鑑賞者の顔の位置及び算出されたＤＰＦ２から鑑賞者までの距離に基づいて、選択された画像データの中からディスプレイ４２に表示する範囲をクロップし、クロップされた範囲をディスプレイ４２に表示する（ステップＳ２０）。
【００１６】
例えば、図３に示すように鑑賞者が観察位置Ｘに位置している場合には、ＣＰＵ１０は、鑑賞者の顔の位置及びＤＰＦ２から鑑賞者までの距離に基づいて、ディスプレイ４２に表示する画像データとして、仮想平面Ｗにおける画像の表示範囲がＩｘとなる画像データをクロップし、クロップされた画像データに基づく画像をディスプレイ４２に表示する。鑑賞者が観察位置Ｘから観察位置Ｘ´に移動した場合には、ＣＰＵ１０は、鑑賞者の顔の位置及びＤＰＦ２から鑑賞者までの距離に基づいて画像データのクロップする範囲の変更を行う。即ち、クロップする範囲をＤＰＦ２に対して鑑賞者が移動した方向と逆の方向に移動し、仮想平面Ｗにおける画像の表示範囲がＩｘ´となる画像データをクロップし、クロップされた画像データに基づく画像をディスプレイ４２に表示する。
【００１７】
また、図４に示すように鑑賞者が観察位置Ｙに位置している場合には、鑑賞者の顔の位置及びＤＰＦ２から鑑賞者までの距離に基づいて、ディスプレイ４２に表示する画像データとして、仮想平面Ｗにおける画像の表示範囲がＩｙとなる画像データをクロップし、クロップされた画像データに基づく画像をディスプレイ４２に表示する。鑑賞者が観察位置Ｙから観察位置Ｙ´に移動した場合には、ＣＰＵ１０は鑑賞者の顔の位置及びＤＰＦ２から鑑賞者までの距離に基づいて画像データのクロップする範囲の変更を行い、仮想平面Ｗにおける画像の表示範囲がＩｙ´となる画像データに基づく画像をディスプレイ４２に表示する。
【００１８】
また、図５に示すように鑑賞者が観察位置Ｚに位置している場合には、鑑賞者の顔の位置及びＤＰＦ２から鑑賞者までの距離に基づいて、ディスプレイ４２に表示する画像データとして、仮想平面Ｗにおける画像の表示範囲がＩｚとなる画像データをクロップして、クロップされた画像データに基づく画像をディスプレイ４２に表示する。鑑賞者が観察位置Ｚから観察位置Ｚ´に移動した場合には、ＣＰＵ１０は鑑賞者の顔の位置及びＤＰＦ２から鑑賞者までの距離に基づいて画像データのクロップする範囲の変更を行い、仮想平面Ｗにおける画像の表示範囲がＩｚ´となる画像データに基づく画像をディスプレイ４２に表示する。即ち、鑑賞者がＤＰＦ２へ近づけばディスプレイ４２に表示する仮想平面Ｗにおける画像の表示範囲をＩｚからＩｚ´へ変更し表示範囲を広げる。一方、鑑賞者が観察位置Ｚ´から観察位置Ｚに移動した場合、即ち鑑賞者がＤＰＦ２から遠ざかればディスプレイ４２に表示する仮想平面Ｗにおける画像の表示範囲をＩｚ´からＩｚへ変更し表示範囲を狭める。
【００１９】
本発明の第１の実施の形態に係るＤＰＦによれば、第１撮像部による撮像画角内に存在する鑑賞者の顔の位置及びＤＰＦから鑑賞者までの距離に基づいてディスプレイに表示されている画像の表示範囲及び表示サイズを変更する。従って、鑑賞者の直感的な動作によりディスプレイに表示されている画像の表示範囲及び表示サイズを変更することがきる。
【００２０】
なお、上述の第１の実施の形態において、ＤＰＦ２の姿勢の検出を行い検出結果をＣＰＵ１０に対して出力するジャイロセンサを設け、ジャイロセンサの出力に基づいてディスプレイ４２に表示する画像の表示範囲を変更するようにしてもよい。この場合図６に示すようにＤＰＦ２が傾けられた場合には、ＣＰＵ１０はジャイロセンサによる検出結果に基づいて、ディスプレイ４２に表示する仮想平面Ｗにおける画像の角度を水平に保つように画像を角度θ回転する。これにより、ＤＰＦ２が傾けられた場合においてもディスプレイ４２には常に水平の状態で画像が表示される。
【００２１】
また、上述の第１の実施の形態においては、メモリ２４に記憶されている画像データのクロップされた範囲をディスプレイ４２に表示しているが、第２撮像部１４の撮影画角が最も広角の状態且つ高解像度で撮像を行い、第２撮像部１４から出力されたスルー画の画像データのクロップされた範囲を表示するようにしてもよい。この場合、第２撮像部１４により画像データの撮像が行われた際の焦点距離、合焦距離等の情報に基づいてディスプレイ４２から仮想平面Ｗまでの距離が決定され、第２撮像部から出力された画像データのクロップされた範囲がリアルタイムでディスプレイ４２に表示される。これにより、鑑賞者はあたかも素通しの窓からＤＰＦ２の向こう側を覗いているような視覚効果を得ることができる。
【００２２】
また、上述の第１の実施の形態において、ディスプレイ４２に表示する画像の画角が、鑑賞者が肉眼で見た場合と同じ大きさで見える画角となるように鑑賞者が第２撮像部１４の撮影画角を予め固定してもよい。この場合、鑑賞者はあたかもＤＰＦ２を素通しのフレームとして被写体（外界）を覗いているかのような視覚効果を得ることができる。
【００２３】
また、上述の第１の実施の形態においては、ＤＰＦ２を用いてディスプレイ４２に表示される画像の画像表示処理を行っているが、ＤＰＦ２と同じシステム構成を有し、撮影を主目的とする装置（例えば、デジタルカメラ）を用いてもよい。この装置においては、図７に示すように鑑賞者が観察位置Ｚに位置している場合には、ＣＰＵ１０は検出された鑑賞者の両目の幅に基づいて装置から鑑賞者までの距離を算出し、この距離に基づいて撮影レンズ１４ａのズーム倍率を変更し、第２撮像部１４の撮影画角を変更する。そして、撮影画角が変更された状態で第２撮像部１４から出力された撮像信号に基づくスルー画をディスプレイ４２に表示する。例えば鑑賞者が位置Ｚから位置Ｚ´に移動してデジタルカメラ６０に近づいた場合には、ＣＰＵ１０は検出された鑑賞者の両目の幅に基づいて装置から鑑賞者までの距離を算出する。そして、算出された装置から鑑賞者までの距離に基づいて第２撮像部１４における撮影レンズ１４ａのズーム倍率を小さくして第２撮像部１４の撮影画角を広げ、ディスプレイ４２に表示する画像の表示範囲を広くする。一方、鑑賞者が位置Ｚ´から位置Ｚに移動してデジタルカメラ６０から離れた場合には、ズーム倍率を大きくして第２撮像部１４の撮影画角を狭め、ディスプレイ４２に表示する画像の表示範囲を狭くする。従って、一般的なデジタルカメラにおけるズーム倍率を変更する操作（ズーム変更ボタンの操作）に代えて、鑑賞者はデジタルカメラ６０から自身までの距離を自らの動作によって調整することにより、第２撮像部１４の撮影画角を変更することができる。また、鑑賞者は素通しのフレームを用いて被写体を切り取っているような直感的な操作感を得ることができる。
【００２４】
次に、本発明の第２の実施の形態に係る画像情報処理システムについて説明する。図８は第２の実施の形態に係る画像情報処理システムのシステム構成を示すブロック図である。図８に示すように画像情報処理システム７０は、画像情報処理装置として機能するＤＰＦ８０と撮像装置として機能するデジタルカメラ９０を備えている。
【００２５】
ＤＰＦ８０のシステム構成は、図２に示すＤＰＦ２のシステム構成にＣＰＵ１０に接続されるＷｉＦｉドライバ４６を追加し、第２撮像部１４を除いたものである。ＷｉＦｉドライバ４６は、ＷｉＦｉ送受信部４８を制御し、デジタルカメラ９０との間におけるデータ通信を行なう。
【００２６】
デジタルカメラ９０は、マイクロプロセッサ等により構成されデジタルカメラ９０の各部を統括的に制御するＣＰＵ１００を備えている。ＣＰＵ１００には、撮像部１０２、電源コントローラ１０４、カードコントローラ１０６、ＷｉＦｉドライバ１０８、Ｉ／Ｆドライバ１１０、メモリ１１２及びＬＣＤドライバ１１４が接続されている。
【００２７】
撮像部１０２は、ＣＣＤ、ＣＭＯＳ等により構成される撮像素子を有し、撮影レンズ１０２ａ（図９参照）を介した被写体からの光を撮像しＣＰＵ１００に対して撮像信号を出力する。電源コントローラ１０４は、バッテリ１１６からＣＰＵ１００に対する電力の供給の制御を行なう。カードコントローラ１０６は、カードスロット１１８に装着されたＳＤカード、ＣＦカード１２０等に対するデータの書き込み及び読み出しの制御を行なう。ＷｉＦｉドライバ１０８は、ＷｉＦｉ送受信部１２２を制御し、ＤＰＦ８０との間におけるデータ通信を行なう。Ｉ／Ｆドライバ１１０は、電源スイッチ、レリーズボタン等を備える操作スイッチ１２４の操作状態を検出してＣＰＵ１００に対して出力する。メモリ１１２は、撮像部１０２から出力された撮像信号に基づく画像データ等を記憶する。ＬＣＤドライバ１１４は、デジタルカメラ９０の背面に配置されるＬＣＤパネルを備えるディスプレイ１２６の表示制御を行なう。
【００２８】
次に、第２の実施の形態に係る画像情報処理システム７０における画像情報処理について説明する。ここでＤＰＦ８０とデジタルカメラ９０は、ＤＰＦ８０のＷｉＦｉ送受信部４８及びデジタルカメラ９０のＷｉＦｉ送受信部１２２により無線通信を確立していることを前提に説明する。
【００２９】
ＤＰＦ８０のＣＰＵ１０は、第１撮像部１２によりディスプレイ４２を鑑賞している鑑賞者の顔を所定のフレームレートで撮像し、第１撮像部１２の撮影画角内の鑑賞者の両目の幅を検出する。例えば、図９に示すように鑑賞者が観察位置Ｚに位置している場合には、ＣＰＵ１０は検出された鑑賞者の両目の幅に基づいてＤＰＦ８０から鑑賞者までの距離を算出する。そして、算出されたＤＰＦ８０から鑑賞者までの距離の情報をＷｉＦｉ送受信部４８を介してデジタルカメラ９０に送信する。
【００３０】
デジタルカメラ９０のＣＰＵ１００は、ＤＰＦ８０からＷｉＦｉ送受信部１２２を介してＤＰＦ８０から鑑賞者までの距離の情報を受信すると、受信した情報に基づいて撮像部１０２における撮影レンズ１０２ａのズーム倍率を変更し、撮像部１０２の撮影画角を変更する。そして、撮影画角が変更された状態で撮像部１０２により所定のフレームレートで被写体を撮像し、撮像部１０２から出力されたスルー画の画像データをＷｉＦｉ送受信部１２２よりＤＰＦ８０に対して送信する。
【００３１】
ＤＰＦ８０のＣＰＵ１０は、ＷｉＦｉ送受信部４８によりデジタルカメラ９０から送信されたスルー画の画像データを受信し、受信した画像データをリアルタイムでディスプレイ４２に表示する。
【００３２】
例えば、鑑賞者が位置Ｚから位置Ｚ´に移動してデジタルカメラ９０に近づいた場合には、デジタルカメラ９０のＣＰＵ１００は、ＤＰＦ８０から受信したＤＰＦ８０から位置Ｚ´の鑑賞者までの距離の情報に基づいて撮影レンズ１０２ａのズーム倍率を小さくし、撮像部１０２の撮影画角を広くする。従ってＤＰＦ８０のディスプレイ４２に表示するスルー画の表示範囲を広くする。
【００３３】
一方、鑑賞者が位置Ｚ´から位置Ｚに移動してデジタルカメラ９０から離れた場合には、鑑賞者がデジタルカメラ９０へ近づいた場合と逆に、デジタルカメラ９０のＣＰＵ１００は、ＤＰＦ８０から受信したＤＰＦ８０から位置Ｚの鑑賞者までの距離の情報に基づいて撮影レンズ１０２ａのズーム倍率を大きくし、撮像部１０２による撮影画角を狭くする。従ってディスプレイ４２に表示するスルー画の表示範囲を狭くする。
【００３４】
本発明の第２の実施の形態に係る画像情報処理システムによれば、ＤＰＦの第１撮像部による撮像画角内に存在する鑑賞者の両目の幅を検出し、検出された鑑賞者の両目の幅に基づいてＤＰＦから鑑賞者までの距離を算出する。そして、算出された距離に基づいてデジタルカメラの撮像部による撮影画角を変更することにより、ＤＰＦのディスプレイに表示されているスルー画の表示範囲及び表示サイズを変更する。従って、鑑賞者の直感的な動作によりディスプレイに表示されているスルー画の表示範囲及び表示サイズを変更することがきる。また、鑑賞者はＤＰＦと自身との距離を自らの動作によって調整することにより、デジタルカメラの撮像部による撮影画角を変更することができる。また、鑑賞者はＤＰＦのディスプレイにおいて素通しのフレームを用いて被写体を切り取っているような直感的な操作感を得ることができる。また、デジタルカメラの撮像部から出力された画像データに基づくスルー画がリアルタイムでＤＰＦのディスプレイに表示されるため、鑑賞者はあたかも素通しの窓からＤＰＦの向こう側を覗いているような視覚効果を得ることができる。
【００３５】
なお、上述の第２の実施の形態においては、ＤＰＦ８０とデジタルカメラ９０は機器間で直接通信を行っているが、ＷｉＦｉ−ＡＰまたは有線・無線ａｄｈｏｃ等を経由して通信を行うようにしてもよい（図９参照）。
【００３６】
また、上述の第２の実施の形態において、デジタルカメラ９０を固定カメラとして用いて、撮像部１０２により撮影画角が最も広角の状態且つ高解像度で撮像を行うようにしてもよい。この場合ＤＰＦ８０のＣＰＵ１０は、ディスプレイ４２を鑑賞している鑑賞者の顔の位置及び両目の幅を検出し、検出された鑑賞者の両目の幅に基づいてＤＰＦ８０から鑑賞者までの距離を算出する。また、デジタルカメラ９０の撮像部１０２から出力されたスルー画の画像データ及び画像データの撮像が行われた際の焦点距離、合焦距離等の情報をＷｉＦｉ送受信部４８を介して受信すると、受信した情報に基づいてディスプレイ４２から仮想平面Ｗまでの距離を決定する。そして、検出された鑑賞者の顔の位置及び算出されたＤＰＦ８０から鑑賞者までの距離に基づいて、受信したスルー画の画像データの中からディスプレイ４２に表示する範囲をクロップし、クロップされた範囲をディスプレイ４２に表示する。
【００３７】
即ち、第１の実施の形態のＤＰＦ２の画像表示処理と同様に、鑑賞者の顔の位置及びＤＰＦ８０から鑑賞者までの距離に基づいて、ディスプレイ４２に表示する画像データとして仮想平面Ｗにおける画像の表示範囲の画像データをクロップし、クロップされた画像データに基づく画像をディスプレイ４２に表示する。従って、ＤＰＦ８０の第１撮像部１２による撮像画角内に存在する鑑賞者の顔の位置及びＤＰＦ８０から鑑賞者までの距離に基づいて、ＤＰＦ８０のディスプレイ４２に表示する画像の表示範囲及び表示サイズが変更される。
【００３８】
また、上述の第２の実施の形態において、例えばＤＰＦ８０をモニタ装置として使用して表示情報処理システム７０をインタホン装置として用いてもよい。
【００３９】
また、上述の第２の実施の形態においては、デジタルカメラ９０の撮像部１０２から出力された撮像信号に基づくスルー画をＤＰＦ８０のディスプレイ４２に表示しているが、鑑賞者がＤＰＦ８０の操作スイッチ４４を操作してメモリ２４に記憶されている画像データに基づく画像をディスプレイ４２に表示するようにしてもよい。
【００４０】
また、上述の第２の実施の形態において、ＤＰＦ８０にジャイロセンサを設けＤＰＦ８０が傾けられた場合には、ＣＰＵ１０はジャイロセンサの出力に基づいてディスプレイ４２に表示する画像の表示範囲を変更するようにしてもよい。即ち、ジャイロセンサによる検出結果に基づいて、ディスプレイ４２に表示する仮想平面Ｗにおける画像の角度を水平に保つように画像を角度θ回転する（図６参照）。これにより、ＤＰＦ８０が傾けられた場合においてもディスプレイ４２には常に水平の状態で画像が表示される。
【００４１】
また、上述の第２の実施の形態において、デジタルカメラ９０のレリーズボタンが押下され、デジタルカメラ９０の撮像部１０２により静止画像の撮像が行われた場合には、撮像部１０２により撮像された静止画像をリアルタイムでＤＰＦ８０のディスプレイ４２に表示するようにしてもよい。この場合デジタルカメラ９０のＣＰＵ１００は、撮像部１０２から出力された静止画像データをリアルタイムでＷｉＦｉ送受信部１２２を介してＤＰＦ８０へ送信する。
【００４２】
また、上述の第２の実施の形態においては、ＤＰＦ８０とデジタルカメラ９０は無線通信により通信を行っているが、有線ケーブルを用いて両者を接続し通信を行うようにしてもよい。
【００４３】
また、上述の実施の形態においては、第１撮像部１２による撮像画角内に存在する鑑賞者の両目の幅を検出し、検出された鑑賞者の両目の幅に基づいてＤＰＦ２，８０から鑑賞者までの距離を算出しているが、鑑賞者の顔のサイズを検出し、検出された鑑賞者の顔のサイズに基づいてＤＰＦ２，８０から鑑賞者までの距離を算出してもよい。
【００４４】
また、上述の実施の形態においては、ディスプレイ４２に表示する画像の画像データに付加されたメタデータまたは画像データの撮像が行われた際の焦点距離、合焦距離等の情報に基づいて、ディスプレイ４２から仮想平面Ｗまでの距離を決定しているが、画像データに付加されたメタデータまたは焦点距離、合焦距離等の情報を使用せずに鑑賞者がディスプレイ４２から仮想平面Ｗまでの距離を予め設定するようにしてもよい。
【符号の説明】
【００４５】
２…ＤＰＦ、１０…ＣＰＵ、１２…第１撮像部、１４…第２撮像部、２４…メモリ、４２…ディスプレイ、４８…ＷｉＦｉ送受信部、７０…画像情報処理システム、８０…ＤＰＦ、９０…デジタルカメラ、１０２…撮像部、１２２…ＷｉＦｉ送受信部。
【図１】
2012147059.tif 000003
【図２】
2012147059.tif 000004
【図３】
2012147059.tif 000005
【図４】
2012147059.tif 000006
【図５】
2012147059.tif 000007
【図６】
2012147059.tif 000008
【図７】
2012147059.tif 000009
【図８】
2012147059.tif 000010
【図９】
2012147059.tif 000011